(57)【要約】【課題】計測点から発せられた警報信号を欠損なく確実に中央監視所に伝送することができる警報監視システムを提供することである。【解決手段】計測点１００、２００は、計測点の状態監視を行う監視計測手段１０１、２０１と、計測点が警報であるときは外部電話回線６０１、６０２により所轄の地域統括管理所３００、４００の電話番号に接続し、その電話番号に接続できないときは、予め登録された別の地域統括管理所４００、３００の電話番号に自動的に切り替えて接続する警報発信手段１０２、２０２とを有し、地域統括管理所３００、４００は、イントラネット６０３と接続するためのルータ３０３、４０３と、外部電話回線６０１、６０２との接続を行うとともにルータの状態監視を行い、ルータの異常信号により外部電話回線を自動的に接続不能にする受信アダプタ３０１、４０１とを有する。【選択図】図１
2007122582.tif 000002
【特許請求の範囲】
【請求項１】
プロセス量を計測し警報を発信する計測点と、計測点を地域単位で統括する地域統括管理所と、全ての計測点を一元管理する中央監視所と、計測点と地域統括管理所を接続する外部電話回線と、地域統括管理所と中央監視所とを接続するイントラネットとを備えた警報監視システムにおいて、前記計測点は、計測点のプロセス量に基づいて状態監視を行う監視計測手段と、前記監視計測手段からの結果を基に警報を判定し警報であるときは前記外部電話回線により所轄の地域統括管理所の電話番号に接続するとともに、その電話番号に接続できないときは、予め登録された別の地域統括管理所の電話番号に自動的に切り替えて接続する警報発信手段とを有し、前記地域統括管理所は、前記イントラネットと接続するためのルータと、前記外部電話回線との接続を行うとともに前記ルータの状態監視を行い前記ルータの異常信号により前記外部電話回線を自動的に接続不能にする受信アダプタとを有することを特徴とする警報監視システム。
【請求項２】
前記地域統括管理所の受信アダプタは、前記ルータの異常信号により前記外部電話回線を自動的に接続不能にすることに代えて、受信した警報信号を外部電話回線を通して自動的に他の地域統括管理所に転送することを特徴とする請求項１記載の警報監視システム。
【請求項３】
前記地域統括管理所の受信アダプタは、前記ルータの異常信号により前記外部電話回線を自動的に接続不能にすることに代えて、受信した警報信号を一時的に蓄積し、前記ルータの異常信号の復帰により一時的に蓄積した警報信号を一括して前記イントラネットを介して前記中央監視所に送信することを特徴とする請求項１記載の警報監視システム。
【発明の詳細な説明】
【技術分野】
【０００１】
本発明は、監視装置からの警報を管理する警報監視システムに関する。
【背景技術】
【０００２】
例えば、電力系統の故障ないし異常発生時における警報出力を入出力装置側にて報知するものとして、遠方監視制御装置から入力された電力系統の状態を表わすＳＶ情報、ＴＭ情報の変化を検出し、検出された変化が電力系統の故障ないし異常によるものか否かを照合して判定し、得られた判定結果に基づいて警報出力を報知するようにしたものがある（例えば、特許文献１参照）。
【０００３】
図４は従来の警報監視システムの構成図である。図４において、計測点１００、２００は監視計測手段１０１、２０１と警報発信手段１０２、２０２とを有する。警報発信手段１０２、２０２は、監視計測手段１０１、２０１の測定値によって警報を発し、外部電話回線６０１、６０２を介して所轄の地域統括管理所３００、４００に電話をかけて警報信号を伝送する。地域統括管理所３００、４００は、モデム３０４、４０４、表示操作手段３０２、４０２、ルータ３０３、４０３を有する。
【０００４】
ここで、図４では計測点１００、２００にはそれぞれ１つの監視計測手段１０１、２０１を示し、地域統括管理所３００、４００にはそれぞれ１つの計測点１００、２００が接続された場合を示しているが、１つの計測点１００、２００には１つ以上の監視計測手段１０１、２０１を持ち、１つの地域統括管理所３００、４００では１つ以上の計測点１００、２００を管理対象とする。地域統括管理所３００、４００は、イントラネット６０３を介して中央監視所５００に接続されている。
【０００５】
いま、測定点１００の監視計測手段１０１が異常値を感知したとすると、警報発信手段１０２は警報信号を発し、地域統括管理所３００に電話をかける。警報信号は外部電話回線６０１を通して地域統括管理所３００に送信される。地域統括管理所３００では、外部電話回線６０１を通して送信された警報信号は、モデム３０４で受信する。そして直ちにルータ３０３に警報信号を送信し、イントラネット６０３に警報信号を送出する。最終的に警報信号は中央監視所５００に集められ、ここで一括管理される。計測点２００の場合も同様の方法で地域統括管理所４００を通して、中央監視所５００に伝送される。なお、各地域統括管理所３００、４００には、警報信号を保存する機能は有しないが、警報信号を表示する機能を持つ簡易な表示操作手段３０２、４０２を有している。
【特許文献１】特開平１１−３２４４８号公報
【発明の開示】
【発明が解決しようとする課題】
【０００６】
ところが、従来の警報監視システムにおいては、地域統括管理所３００には簡易な表示操作手段３０２、４０２を設置し、警報信号の表示を行うことができるが、送信されてきた警報信号を保存する仕組みは設けられていない。すなわち、モデム３０４、４０４で受信した警報信号は、直ちにルータ３０３、４０３に転送しなければならない。従って、イントラネット６０３に異常がある場合などで、中央監視所５００への伝送ができない場合は、警報信号を受信しても転送先がなく、警報信号が破棄される恐れがあった。
【０００７】
本発明の目的は、計測点から発せられた警報信号を欠損なく確実に中央監視所に伝送することができる警報監視システムを提供することである。
【課題を解決するための手段】
【０００８】
本発明の警報監視システムは、プロセス量を計測し警報を発信する計測点と、計測点を地域単位で統括する地域統括管理所と、全ての計測点を一元管理する中央監視所と、計測点と地域統括管理所を接続する外部電話回線と、地域統括管理所と中央監視所とを接続するイントラネットとを備えた警報監視システムにおいて、前記計測点は、計測点のプロセス量に基づいて状態監視を行う監視計測手段と、前記監視計測手段からの結果を基に警報を判定し警報であるときは前記外部電話回線により所轄の地域統括管理所の電話番号に接続するとともに、その電話番号に接続できないときは、予め登録された別の地域統括管理所の電話番号に自動的に切り替えて接続する警報発信手段とを有し、前記地域統括管理所は、前記イントラネットと接続するためのルータと、前記外部電話回線との接続を行うとともに前記ルータの状態監視を行い前記ルータの異常信号により前記外部電話回線を自動的に接続不能にする受信アダプタとを有することを特徴とする。
【発明の効果】
【０００９】
本発明によれば、地域統括管理所から警報信号を中央監視所に伝送できない場合でも、計測点側で別の経路に切り替えて、確実に中央監視所まで警報信号を伝送することが可能である。
【発明を実施するための最良の形態】
【００１０】
以下、本発明の実施の形態に係わる警報監視システムを説明する。図１は本発明の第１の実施の形態に係わる警報監視システムの構成図である。この第１の実施の形態は、図４に示した従来例に対し、モデム３０４、４０４に代えて受信アダプタ３０１、４０１を設け、計測点１００の警報発信手段１０２から外部電話回線６０２に接続される接続線１１を設けるとともに、計測点２００の警報発信手段２０２から外部電話回線６０１に接続される接続線１２を設けたものである。そして、計測点１００で警報情報が発生したときは、外部電話回線６０１により所轄の地域統括管理所３００の電話番号に接続するとともに、その電話番号に接続できないときは、予め登録された別の地域統括管理所４００の電話番号に、接続線１１および外部電話回線６０２により自動的に切り替えて接続する。同様に、計測点２００で警報情報が発生したときは、外部電話回線６０２により所轄の地域統括管理所４００の電話番号に接続するとともに、その電話番号に接続できないときは、予め登録された別の地域統括管理所３００の電話番号に、接続線１２および外部電話回線６０１により自動的に切り替えて接続する。
【００１１】
計測点１００、２００は監視計測手段１０１、２０１と警報発信手段１０２、２０２とを有し、警報発信手段１０２、２０２は、監視計測手段１０１、２０１の測定値によって警報を発し、地域統括管理所３００、４００に電話をかけて警報信号を伝送する。図１では計測点１００、２００はそれぞれ１つ監視計測手段１０１、２０１を有したものを示しているが、通常、１つの計測点１００、２００には１つ以上の監視計測手段を持つ。また、地域統括管理所３００、４００はそれぞれ１つの計測点１００、２００を管理対象としたものを示しているが、通常、１つの地域統括管理所では１つ以上の計測点を管理対象とする。
【００１２】
また、計測点１００からの電話は、所轄の地域統括管理所３００のほか、バックアップ地域統括管理所４００にもかけられるようになっており、「話し中」の場合や外部電話回線６０１の異常などの原因で、地域統括管理所３００との外部電話回線６０１がつながらない場合は、自動的に地域統括管理所４００に電話をかけるようになっている。警報発信手段１０２には、そのための機能を持たせている。
【００１３】
いま、監視計測手段１０１が異常値を感知したとすると、警報発信手段１０２は警報信号を発し、地域統括管理所３００に電話をかける。警報信号は、外部電話回線６０１を通して地域統括管理所３００に送信される。地域統括管理所３００では、外部電話回線６０１を通して送信された警報信号を受信アダプタ３０１で受信する。そして直ちにルータ３０３に警報信号を送信し、イントラネット６０３に警報信号を送出する。最終的に警報信号は中央監視所５００に集められ、ここで管理される。
【００１４】
ここで、受信アダプタ３０１はルータ３０３の状態を常時監視している。イントラネット６０３に異常がある場合や、ルータ３０３自身に異常がある場合など中央監視所５００への伝送ができない場合は、警報信号を受信しても転送先がなく警報信号が破棄される恐れがあるので、それを避けるためである。
【００１５】
ルータ３０３は、イントラネット６０３が異常となったときや自分自身が異常となったときに異常信号を発する。すなわち、ルータ３０３はイントラネット６０３の状態を常時監視し、イントラネット６０３の異常を感知した場合には、ルータ３０３は異常信号を発する。受信アダプタ３０１はルータ３０３の異常信号を感知するか、ルータ３０３自身の異常を感知すると、外部電話回線６０１との接続を自動的に遮断し、計測点１００からの電話があっても接続を拒否し警報信号の受信を阻止する。
【００１６】
このままでは計測点１００からの警報信号は中央監視所５００に伝送されないので、地域統括管理所３００での警報信号の受信が阻止されている間は、計測点１００からの警報信号は、警報発信手段１０２に設定されている別の地域統括管理所４００に電話をかけ、地域統括管理所４００経由で警報信号を中央監視所５００に送信する。
【００１７】
ルータ３０３はイントラネット６０３の正常復帰を感知した場合、異常信号の送出を中止する。そうすると、受信アダプタ３０１はルータ３０３の異常信号を感知しなくなり、ルータ３０３自身も異常がないと判断すると、受信アダプタ３０１は外部電話回線６０１との接続を自動的に再開し、計測点１００から電話があると警報信号の受信を再開する。計測点１００からの警報信号は、地域統括管理所３００経由で中央監視所５００に送信される。なお、計測点２００からの警報信号も、同様の方法で、正常時は所轄の地域統括管理所４００経由で、異常時はバックアップ地域統括管理所３００経由で、中央監視所５００に送信される。
【００１８】
第１の実施の形態によれば、警報情報が発生したときは、外部電話回線により所轄の地域統括管理所の電話番号に接続するとともに、その電話番号に接続できないときは、予め登録された別の地域統括管理所の電話番号に自動的に切り替えて接続するので、地域統括管理所から警報信号を中央監視所に伝送できない場合でも、計測点側から別の経路を通して、確実に中央監視所まで警報信号を伝送することが可能である。
【００１９】
次に、本発明の第２の実施の形態を説明する。図２は本発明の第２の実施の形態に係わる警報監視システムの構成図である。この第２の実施の形態は、図１に示した第１の実施の形態に対し、外部電話回線６０１、６０２を接続する接続線１３を設け、地域統括管理所の受信アダプタ３０１、４０１は、ルータ３０３、３０４の異常信号により外部電話回線６０１、６０２を自動的に接続不能にすることに代えて、受信した警報信号を外部電話回線６０１、６０２を通して自動的に他の地域統括管理所に転送するようにしたものである。地域統括管理所３００から中央監視所５００への警報信号の伝送ができない場合は、地域統括管理所３００自身が別の地域統括管理所４００に電話をかけて、別の地域統括管理所４００経由で中央監視所５００に伝送するようにしたものである。
【００２０】
すなわち、受信アダプタ３０１はルータ３０３の状態を常時監視する。ルータ３０３はイントラネット６０３の状態を常時監視しているが、ルータ３０３がイントラネット６０３の異常を感知した場合、ルータ３０３は異常信号を発する。受信アダプタ３０１はルータ３０３の異常信号を感知するか、ルータ３０３自身の異常を感知すると、受信アダプタ３０１は、警報信号を受信した時に自動的に地域統括管理所４００に電話をかけるように自身の設定変更を行う。
【００２１】
イントラネット６０３への接続ができない間に、警報信号を受信すると、受信アダプタ３０１は警報信号を自身に一旦蓄積し、計測点１００との電話回線を切る。その後、受信アダプタ３０１はバックアップ地域統括管理所４００に電話をかける。外部電話回線６０１、６０２がつながると、警報信号は受信アダプタ３０１から外部電話回線６０１、６０２を経由してバックアップ地域統括管理所４００の受信アダプタ４０１に送られ、バックアップ地域統括管理所４００経由で中央監視所５００に警報信号が送信される。
【００２２】
ルータ３０３がイントラネット６０３の正常復帰を感知した場合、ルータ３０３は異常信号の送出を中止する。受信アダプタ３０１はルータ３０３の異常信号を感知しなくなり、ルータ３０３自身も異常がないと判断すると、受信アダプタ３０１は接続設定を元の設定に戻す。受信した警報信号は、地域統括管理所３００のルータ３０３を通して中央監視所５００に送信される。この場合の受信アダプタ３０１には、複数の外部電話回線（計測点からの受信用と、地域統括管理所相互間用）に対応する必要があると共に、警報信号を受信してから別の地域統括管理所に転送するまでの間、一時的に警報信号を保存するための機能を必要とする。なお、計測点２００からの警報信号も、同様の方法で、正常時は所轄の地域統括管理所４００経由のみで、異常時は所轄の地域統括管理所４００とバックアップ地域統括管理所３００経由で、中央監視所５００に送信される。
【００２３】
第２の実施の形態によれば、地域統括管理所から警報信号を中央監視所に伝送できない場合でも、地域統括管理所側で別の経路に切り替えて、確実に中央監視所まで警報信号を伝送することが可能である。
【００２４】
次に、本発明の第３の実施の形態を説明する。図３は本発明の第３の実施の形態に係わる警報監視システムの構成図である。この第３の実施の形態は、地域統括管理所の受信アダプタ３０１、４０１は、ルータ３０３、３０４の異常信号により外部電話回線６０１、６０２を自動的に接続不能にすることに代えて、受信した警報信号を一時的に蓄積し、ルータ３０３、３０４の異常信号の復帰により一時的に蓄積した警報信号を一括してイントラネット６０３を介して中央監視所５００に送信するようにしたものである。図３では、計測点２００、外部電話回線６０２、地域統括管理所４００の図示を省略している。
【００２５】
図３において、受信アダプタ３０１はルータ３０３の状態を常時監視する。それと同時に、受信アダプタ３０１は受信した警報信号を自身に一時的に保存する。ルータ３０３はイントラネット６０３の状態を常時監視しているが、ルータ３０３がイントラネット６０３の異常を感知した場合、ルータ３０３は異常信号を発する。受信アダプタ３０１はルータ３０３の異常信号を感知するか、ルータ３０３自身の異常を感知するとルータ３０３への転送を中止する。この間も警報信号は受信アダプタ３０１に蓄積される。
【００２６】
ルータ３０３はイントラネット６０３の正常復帰を感知した場合、異常信号の送出を中止する。受信アダプタ３０１はルータ３０３の異常信号を感知しなくなると、ルータ３０３自身も異常がないと判断する。そして、ルータ３０３への転送を中止してから復帰するまでの間に受信アダプタ３０１に蓄積された警報信号を一括して中央監視所５００へ伝送する。その後、受信アダプタ３０１は元通り、自分自身で中央監視所５００へ警報信号を送信するようにする。なお、図示省略の計測点２００からの警報信号も、同様の方法で、イントラネット６０３の異常時には、警報信号を受信アダプタ４０１に蓄積し、復帰後に一括して中央監視所５００に送信することになる。
【００２７】
第３の実施の形態によれば、地域統括管理所から警報信号を中央監視所に伝送できない場合でも、地域統括管理所側で一時的に蓄積しておくことで、伝送不能時も確実に中央監視所まで警報信号を伝送することが可能である。
【００２８】
ここで、第１の実施の形態、第２の実施の形態、第３の実施の形態につき、２つ以上を組み合わせることにより、より信頼性の高いシステムとすることが可能である。また、なお、上述した各実施の形態において記載した手法は、コンピューターに実行させることのできるプログラムとして、例えば磁気ディスク、光ディスク、半導体メモリなどの記録媒体に書き込んで各種装置に適用したり、通信媒体により伝送して各種装置に適用することも可能である。本装置を実現するコンピューターは、記録媒体に記録されたプログラムを読み込み、このプログラムによって動作が制御されることにより、上述した処理を実行するものである。
【図面の簡単な説明】
【００２９】
【図１】本発明の第１の実施の形態に係わる警報監視システムの構成図。
【図２】本発明の第２の実施の形態に係わる警報監視システムの構成図。
【図３】本発明の第３の実施の形態に係わる警報監視システムの構成図。
【図４】従来の警報監視システムの一例を示す構成図。
【符号の説明】
【００３０】
１００、２００…計測点、１０１、２０１…監視計測手段、１０２、２０２…警報発信手段、３００、４００…地域統括管理所、３０１、４０１…地域統括管理所、３０２、４０２…表示操作手段、３０３、４０３…ルータ、３０４、４０４…モデム、５００…中央監視所、６０１、６０２…外部電話回線、６０３…イントラネット
【図１】
2007122582.tif 000003
【図２】
2007122582.tif 000004
【図３】
2007122582.tif 000005
【図４】
2007122582.tif 000006